(57)【要約】【課題】  視覚障害者等が、複数の商品で構成される商品群中において、ある商品と他の商品の共通性又は関連性の把握を容易に行うことができるようにした、容器セット及び当該容器セットに収容された商品を提供すること。【解決手段】  一定の情報を表す形状からなる識別部を備え、当該形状で特定される識別部により商品相互の関連性を示すようにした、容器セットと当該容器セットに収容された商品を提供し、視覚障害者等がその識別部の形状に触れることにより、商品相互の共通性又は関連性を把握できるようにした。【選択図】図１
2014181065.tif 000002
【特許請求の範囲】
【請求項１】
物品を収容する複数の容器からなる容器セットであって、
当該容器には、収容する物品の共通性又は関連性によって特定される、一定の形状からなる識別部が形成されており、
当該識別部は、収容する物品に共通性又は関連性があるものについて同じ形状で形成されており、
異なる識別部を有する容器を２つ以上組み合わせている事を特徴とする、容器セット。
【請求項２】
前記識別部が、容器の一部を凸状に成形して形成されており、
当該凸状に成形した部分の形状は、物品を収容する領域を形作ると共に、収容する物品同士の共通性又は関連性に応じて異なっている事を特徴とする、請求項１記載の容器セット。
【請求項３】
前記識別部は、複数の容器に於いて共通する位置に形成されると共に、相互に関連する形状に形成されている事を特徴とする、請求項１記載の容器セット。
【請求項４】
容器に収容した食品を複数組み合わせてなる食品セットであって、
各食品を収容する容器として、請求項１〜３の何れか一項に記載している容器セットが使用されており、
前記容器に形成される識別部は、朝食用食品、昼食用食品、夕食用食品とで異なる形状に形成されている事を特徴とする、食品セット。
【発明の詳細な説明】
【技術分野】
【０００１】
本発明は、視覚に頼ることなく一定の情報を簡便に得られるようにした容器と、この容器にレトルト食品や洗剤等を収容した容器入り商品に関し、特に視覚障害者等でも簡易に情報を取得できるようにした容器と容器入り商品に関するものである。
【背景技術】
【０００２】
現在多くの商品が様々な容器に封入されて販売されている。しかしこれらの商品に使用されている容器の多くは、健常者向けに作られている。このため、容器の内容物や注意事項等の情報は、目視により認識できるようにしか記載されていないものが多い。したがって、従前においては、視覚障害者等が当該情報を取得するのは困難であった。
【０００３】
そこで、従前においても、視覚障害者等のために、包装容器の一部に点字や一定の記号を付加して内容物や用法等を判別する方法も幾つか提案されていた。
【０００４】
例えば、特許文献１（特開２０１１−８８６６７号公報）では、点字を付加する技術が提案されている。即ち、開封に必要な情報を、視覚障害者が触指にて得られるよう、日常品の一部の面に点線で囲んだ枠を設け、その中に暗号化した点字の数字及び数種の記号を凸状に印字もしくは添付する方法が提案されている。
【０００５】
また、特許文献２（実用新案登録第３０９０２４６号公報）では、豆腐用包装容器の底壁に「きぬ」の語を表示する点字を突設するとともに、前記「きぬ」の語の文字数と同数の２つの識別突起を併設するとして、点字のみよりも判別がしやすいようにした豆腐用包装容器が提案されている。
【０００６】
点字に依らず、内容物の識別作業を容易かつ確実に行うことができるチューブ容器として、特許文献３（特開２００９−１７９３９０号公報）で提案されている。この文献では、チューブ容器体の末端を板状の封止端部とし、この封止端部に、視覚及び触覚によって識別可能な内容物識別用マークを形成したチューブ容器が提案されている。
【０００７】
更に特許文献４（特開平１１−９５６６４号公報）では、点字よりも読取が容易な情報表示を行なうことができるようにするとともに、表示の作成も極めて簡易にできるようにするべく、シート状に形成されるとともに被貼付品に貼付されて形状によって特定した情報を表示するステッカ本体を備えた盲人用表示ステッカにおいて、上記ステッカ本体を、基部と、該基部に切断可能に一体に連設された複数の帯状部とを備えて構成した盲人用表示ステッカが提案されている。
【先行技術文献】
【特許文献】
【０００８】
【特許文献１】特開２０１１−８８６６７号公報
【特許文献２】実用新案登録第３０９０２４６号公報
【特許文献３】特開２００９−１７９３９０号公報
【特許文献４】特開平１１−９５６６４号公報
【発明の概要】
【発明が解決しようとする課題】
【０００９】
前述のとおり、従前においても視覚障害者等が内容物や用法等を判別する技術は提案されてきた。そして、前記特許文献で提案されている技術でも、商品の内容物等を特定するような情報など、個々の商品に関する情報を取得することはできる。
しかしながら複数個の物で構成されるセット商品などの場合に、その物同士の共通性や関連性のような商品同士の関係を示す情報を、迅速かつ的確に把握するのは困難であった。もちろん点字でも商品同士の共通性や関連性を記述することは可能である。しかし前記特許文献では、シール部等容器の一部に記載しており、その表示領域が限られていた。そして、このような狭い所に情報量の多い複雑な情報を記述しようとすれば文字は細かくなり記載も煩雑になってしまう。その結果、製造ミスや誤読が生じてしまう事も考えられ、商品の誤用を招くおそれがあった。特に触覚の発達していない利用者では誤読のおそれが強い。そこで、本発明はこの問題を解決するために、複数個の商品間における共通性又は関連性を、簡潔かつ明瞭な手段によって表示する容器セットと、この容器セットで包装した商品を提供することを第１の課題とする。
【００１０】
また、従前の様に点字で情報を記載しても、そもそも点字が読めない人には伝わらなという問題があった。老化や糖尿病の合併症で失明した場合のように、後天的に突然失明した場合には点字の習得には様々な困難を伴う事から、点字を習得しない視覚障害者等も多い。実際に、厚生労働省の統計によれば、視覚障害者等のうち「点字ができる」と答えた者は僅か１２．７％に過ぎず（厚生労働省「平成１８年身体障害児・者実態調査」２４項）、点字ができない視覚障害者等も多く。そこで、本発明では、点字ができない視覚障害者等のために、点字によらず商品間の共通性や関連性を表示する容器セットと、この容器セットで包装した商品を提供することを第２の課題とする。
【課題を解決するための手段】
【００１１】
前記課題の少なくとも何れかを解決すべく、本発明では、一定の情報を表す形状からなる識別部を備え、当該形状で特定される識別部により商品相互の関連性を示すようにした、容器セットと当該容器セットに収容された商品を提供する。
【００１２】
すなわち、本発明では、前記課題の少なくとも何れかを解決するべく、物品を収容する複数の容器からなる容器セットであって、当該容器には、収容する物品の共通性又は関連性によって特定される、一定の形状からなる識別部が形成されており、当該識別部は、収容する物品に共通性又は関連性があるものについて同じ形状で形成ものが使用されており、異なる当該識別部を有する容器を２つ以上組み合わせている容器セットを提供する。
かかる容器セットにより、先天的であるか後天的であるかを問わず、弱視、全盲、夜盲、色覚障害等、健常な視覚を持たない者（以下「視覚障害者等」とする。）がその識別部の形状に触れることにより、商品相互の共通性又は関連性を、迅速かつ的確に把握することができる。
【００１３】
前記容器は、金属製缶やプラスチックボトル等の剛性容器及び半剛性容器である他、各種フィルムを用いて形成されたレトルトパウチや袋などの柔軟性のある容器であって良い。但し、視覚障害者等が容器を落として破損する可能性は健常者より高いと考えられることから、ガラス瓶等の耐衝撃性が特に低い材質で形成するよりも、プラスチックや金属等の耐衝撃性の高い材質で形成することが望ましい。更に製造上の観点からは、プラスチックからなる容器（特にレトルトパウチのようなフィルム包装容器）が望ましい。加工性が良く、自由な形に成形できる為である。
【００１４】
前記容器の素材にプラスチックフィルムを使用し、当該容器をフィルム包装容器とした場合には、フィルム包装容器に対して、独特の形状から成る識別部を形成することになる。そのため、通常のフィルム包装容器を作成する場合と比較して以下の点に留意することが望ましい。
【００１５】
第１に、フィルム包装容器の場合、識別部の形状次第では内容物の充填時の圧力衝撃でシール部が剥離することも考えられる。よって、圧力衝撃に比して十分なホットタック性を有するように形成するか、給袋式の包装機を使い容器製造工程と内容物充填工程を分ける等によりシール部のシーラントを十分に接着することが望ましい。
【００１６】
第２に、フィルム包装容器において、一部を凸状に成型するなど、識別部が立体的形状で形成されている場合には、当該凸状の部分は周囲の物品と擦れやすくなり、摩擦により破損する危険が高まる。よって、耐摩擦性の高いフィルムを使うか、輸送・保管時に擦れても摩耗しにくいように緩衝材を入れことが望ましい。
【００１７】
第３に、フィルム包装容器の場合、識別部の形状次第では耐衝撃性や耐圧強度が低くなる事も考えられる。その為、視覚障害者等が誤って商品を落としたり踏みつけたりしたときに、特定部分に落下の衝撃や踏みつけによる押圧が集中してかかる場合があり、通常よりも破裂しやすくなる可能性がある。このため、当該識別部は、その形状に即して十分な耐衝撃性や耐圧強度を得られるフィルムを利用するか、形状自体を破裂しにくいものに設計することが望ましい。
【００１８】
本発明に於いて、前記識別部によって特定される物品相互の共通性又は関連性とは、容器に収容される物品の性質や用途における共通性や関連性である他、各物品を使用乃至は利用する際の手順等、実施者の意図や思想に基づいた共通性や関連性によって任意に決定することができる。例えば、性質の例として味（甘い、辛い等）の共通性や関連性、用途の例として使用タイミング（朝用、昼用、夜用等）の共通性や関連性、手順の例として調理法（第１具材を入れた後に第２具材を入れる等）などの共通性や関連性によって、識別部の形状を特定する事が考えられる。前記の例に於いて、識別部の形状を性質で特定する場合には、甘いものについては共通する第一の識別部を形成し、辛いものについては共通する第二の形状の識別部を形成する。そして、第一の識別部と第二の識別部とは、相互に関連する位置及び形状に形成する事が望ましい。即ち、第一の識別部を容器の表面中央に形成した場合には、前記第二の識別部も容器の表面中央に形成する事が望ましい。各識別部を迅速かつ正確に把握できるようにする為である。
【００１９】
そして前記識別部となる形状は、前記物品相互の共通性又は関連性に応じて特定される。即ち、収容される物品相互の関係において、前記共通性又は関連性があるものについては同じ形状又は関連性の高い形状とする。当該識別部の形状は、指で触れて読み取るような精密なものでなく、少なくても手で触れて直ちに表す情報が把握できる程度に明瞭な構造のものが望ましい。特に、触れやすいように何らかの立体構造によることが望ましい。例えば、当該識別部は、最大外径が１０ｍｍ以上であることが望ましく、凹凸状に形成する場合には、その高さ又は深さは３ｍｍ以上に形成することが望ましい。当該識別部の外形や高さ・深さが前記数値以上であると、当該識別部を触覚によっても容易に理解することができる。
【００２０】
前記識別部は、容器の少なくとも一部に形成する他、容器全体の形状として形成する事もできる。特に、容器の一部に識別部を形成する場合には、例えば、容器の一部を前記形状に凸状に形成して識別部を設けたり（内容物充填時に内容物の圧力で凸状に形成する等）、容器の一部を前記形状にくり抜いて識別部を設ける（シール部等くり抜いても差し支えない部分を前記形状にくり抜く）等により形成することができる。
【００２１】
以上により構成される本発明にかかる容器セットは、例えば、視覚障害者等の利用を想定した食品、日用品などの各種の商品を包装する為の容器として好適に使用する事ができる。
例えば、本発明にかかる容器セットは、当該容器セットを利用した食品セットとして具体化する事ができる。すなわち、容器に収容した食品を複数組み合わせてなる食品セットであって、各食品を収容する容器として前記容器セットが使用されており、前記容器セットにおける各容器に形成された識別部により、例えば朝食用食品、昼食用食品、夕食用食品を区別できるようにした食品セットである。
【００２２】
また、本発明にかかる容器セットは、商品に酒類が含まれるか否かを把握できるようにした食品セットとして具体化する事もできる。すなわち、容器に収容した食品を複数組み合わせてなる食品セットであって、各食品を収容する容器として、前記容器セットが使用されており、前記容器セットにおける各容器に形成された識別部により、酒類が入っている食品と酒類が入っていない食品とを区別できるようにした食品セットである。
【００２３】
その他にも、本発明に係る容器セットは、これらの食品を収容するものに限られず、触って分かるようにすることが望ましい商品、例えば医薬品などを収容するための容器セットとしても使用することができる。
【００２４】
医薬品などを収容する容器セットとして使用する場合には、前記各容器に設けられる識別部は、例えば複数の薬の飲み合わせという関連性を示すことが考えられる。具体的には、「四角形型の包装の薬は、丸型の包装の薬とは数時間の間隔を空けて飲まなければならないが、三角形型の包装の薬とは同時に飲んでも良い」というような情報を表すものとして使用することができる。
【発明の効果】
【００２５】
以上のように構成された、本発明にかかる容器セットによれば、以下の効果を得ることができる。
まず、本発明にかかる容器セットによれば、一定の形状を備えた識別部によって、各容器に収容されている商品相互間の共通性又は関連性を把握することができる。よって、視覚障害者等でもこれに触れることにより、識別部を介して商品相互の共通性や関連性などの意味内容を把握することができる。このため従前の指で触れて点字や記号を読み取る方法に比べて、より簡潔かつ明瞭に情報を取得することができ、複数個の商品間における共通性又は関連性を、簡潔かつ明瞭な手段によって表示する容器セットと、この容器で包装した商品を提供することができる。
【００２６】
また、本発明にかかる容器セットによれば、視覚障害者等が点字によらず商品間の共通性又は関連性を把握することができる。よって点字を理解できない視覚障害者等であっても、商品間の共通性や関連性を理解することのできる容器セットと、この容器セットで包装した商品を提供することができる。
【００２７】
上記本発明によれば、視覚障害者等が商品に関する一定の情報を的確に把握できる容器セットを提供することができるので、視覚障害者等が商品を誤用する危険を低減させることができる。また、点字が読めない視覚障害者等であっても利用することができるようになり、より多くの視覚障害者等に向けた商品開発をすることができる。そしてこれらの効果により、視覚障害者等の商品選択の幅を広げ、生活の質の向上に資することができる。
【図面の簡単な説明】
【００２８】
【図１】第１の実施形態である容器セットにレトルト食品を収容したレトルト食品セットを表す全体斜視図
【図２】第１の識別部を備えた容器に収容した朝食用食品を示す斜視図
【図３】識別部の他の形状を示す斜視図
【図４】実施例２の容器セットを使用したチョコレートセットを示す斜視図
【発明を実施するための形態】
【００２９】
以下、本発明にかかる容器セットと、この容器セットに商品を収容した商品セットの実施の形態を、図面を参照しながら詳細に説明する。
【００３０】
図１は、第１の実施形態である容器セット（レトルトパウチセット）と、この容器セットをレトルト食品の包装容器として使用したレトルト食品セットを表す全体斜視図である。この実施の形態では、各容器に形成される識別部を、中に収容されるレトルト食品の使用タイミング乃至は用途ごとに異なる形状に形成している。具体的には朝食用食品、昼食用食品、夕食用食品という用途ごとに異なる形状に形成した例である。特にこの実施の形態では、何れのレトルトパウチでも、その中心部に識別部を形成しており、朝食用食品を収容するレトルトパウチには立方体形状に突出する第一識別部１２を形成し、昼食用食品を収容するレトルトパウチにはドーム状に湾曲して突出する第二識別部１４を形成し、そして夕食用食品を収容するレトルトパウチには、山形に突出する第三識別部１６を形成している。
【００３１】
当該レトルト食品セットは、例えば朝食用食品であれば、１つは焼き魚（主菜）、１つは卵焼き（副菜）、１つは煮物（副菜）といったように、各々内容物が異なりながらも、朝食用に適するという関連性に基づいて、夫々のレトルト食品を収容するレトルトパウチには同じ形状の識別部（第一識別部）を形成している。そして昼食用に意図されているレトルト食品を収容する全てのレトルトパウチには、前記第一識別部とは別の形状の第二識別部を形成し、更に夕食用に意図されているレトルト食品を収容する全てのレトルトパウチには、前記第一識別部及び第二識別部とは別の形状の第三識別部を形成している。特に特にこの実施の形態に示すように、当該容器セットを朝食用、昼食用、夕食用を識別する目的で使用する場合、各食事は主菜１個、副菜２個の合計３個で構成することができ、この３個を朝食用、昼食用、夕食用の合計９個で構成し、これを１日分とすることができる。
【００３２】
本実施の形態に示す様に、当該容器をレトルト食品を収容するために使用する（即ちレトルト食品セットとする）ことにより、視覚障害者等が食事の際に、各食事用の食品を簡易且つ的確に把握することができ、これにより栄養管理を正確に行うことができる。更に、２日分を１セットとしている場合には、その中で用意されているものから食べるものを任意に選択することができるようになるので、選択の幅が広がり生活の質を向上させることができる。
【００３３】
本実施の形態において、各容器（レトルトパウチ）に形成される識別部は、前記のとおり比較的単純な形状となっていることから、通常のレトルトパウチと比較しても、フィルムに要求される特性は特別なものとはなっていない。このため、本実施の形態におけるレトルトパウチのフィルムの構成は、通常のレトルトパウチに用いられる構成と同様にすることができる。例えば、透明パウチの場合はベースフィルムに延伸ナイロン（厚さ１５μｍ）、シーラントフィルムに無延伸ポリプロピレン（厚さ６０μｍ）の構成、不透明パウチの場合はベースフィルムにポリエステル（厚さ１２μｍ）、バリアーフィルムにアルミ箔（厚さ９μｍ）、シーラントフィルムに無延伸ポリプロピレン（厚さ６０μｍ）の構成とすることができる。
【００３４】
またパウチに用いるフィルムの構成は必ずしもこれらに限られず、ハイレトルト殺菌を行う場合等、個別具体的な事情に応じて必要なフィルム構成とすることができる。但し、本発明は主に視覚障害者等の利用を想定していることから、商品の中身が見えることや鮮やかな色彩を表現できるなどの視覚上の利点よりも、むしろ保存性や強度の観点を重視することが望ましく、その為に、基本的には、アルミ複合パウチ等の不透明パウチを利用して実施することが望ましい。
そしてこれらのフィルムをラミネートしてレトルトパウチ用積層フィルムを作成し、これをヒートシールすることでレトルトパウチを作成することができる。
【００３５】
本実施例における識別部は、例えば、レトルトパウチの製造工程において金型等を用いて形成することができる。具体的には、識別部となる形状に凹んでいる型を用意し、当該型にフィルムを添設し、そして凹んでいる領域に収容物（惣菜など）を収容すると共に、窒素などの不活性ガスを充填しながら他のフィルムを貼付して、当該収容物が収容された領域を閉じることにより形成することができる。この場合、製造に使用する方に形成される凹みは、識別部の形状となる。
【００３６】
以上により作成されるレトルトパウチに内容物が充填され、同時に識別部が形成されることになる。その結果、図２に示す通り、当該食品セットでは、第一識別部２１内に内容物２２が充填されることになる。そして方に形成される凹みの形状を変えることにより、前記形状の第二識別部、第三識別部も同様に形成することができる。また、内容物は固形であっても液状であっても差し支えない。内容物が液状である場合には、不活性ガスの充填を省略することもできる。
【００３７】
レトルト食品は真空包装されることが多いが、真空包装すると内容物によっては識別部の形状が維持できなくなる場合がある。このような場合には内容物の充填工程で前記窒素ガス等の不活性ガスを注入するか、あるいは調味液などを充填して加圧することにより識別部の形状を維持することができる。
【００３８】
上記のように、内容物を充填する工程で識別部の形状を維持するために、窒素ガスを注入する等のガス充填包装を行った場合においては、熱伝導率が悪くなり、レトルトパウチの接着面が剥がれて浮き上がってしまうことも考えられる。よって商業的無菌状態をより確実に確保する上では、含気状態でもレトルト殺菌できる方法である熱水シャワー式のレトルト殺菌を行うのが望ましい。
【００３９】
また、レトルト食品を常温流通させるための商業的無菌状態にする場合には、通常はレトルト殺菌が行われる。しかし識別部の形状によっては、レトルト殺菌における加熱処理に際して内圧が高まりすぎて破裂することも考えられる。その為に、形成する識別部の形状やフィルムの材質によっては、殺菌条件を変更したり、識別部の形状を変更したり、あるいはより強度の高いフィルムを使って形成することが望ましい。
【００４０】
以上のように構成される、本発明にかかる容器セットを利用したレトルト食品セットによれば、食事ごとに適切な栄養管理が必要な視覚障害者等であっても、間違うことなく適切に食事をとることができる。栄養管理が必要な場合、介護施設や病院に入院いるならともかく、一人暮らしでは正確かつ適切な栄養管理を続けることは難しい。この点、例えば「○月×日の朝食はこのパック」のように、文字などの情報に基づいて食事毎に食べるものを厳密に指定する事も考えられる。しかしこの方法では選択の自由がなく、食生活を充実させるといった質の点で新たな問題が発生する。もの点、上記の実施の形態にかかるレトルト食品セットによれば、例えば朝食を食べるときは、朝食用の識別部を備えたものから自由に選ぶことができ、食生活の質を向上させることができる。
【００４１】
以上は食事の時間毎に分けた例であるが、更に当該識別部は、他の情報を特定するために使用することもできる。例えば、識別部が立方体形状の第一識別部１２を備えるものは主菜、ドーム状湾曲して突出する第二識別部１４、及び／又は山形に突出する第三識別部１６を備えるものは副菜というように、食事の種類を明らかにするために、当該識別部を使用することもできる。この例によれば、主菜１品と副菜２品を自由に組み合わせて選ぶことができ、視覚障害者等が食事の選択の幅を広げることができるので、生活の質の向上させることができる。
【００４２】
図３及び４は、他の実施の形態にかかる識別部を備えた容器セットと食品セットの例を示している。図３（Ａ）は、従来の一般的なレトルトパウチ３０を利用して、本体シール部の一部をくり抜いた開口を形成し、この開口を識別部３１とした例を示す斜視図である。識別部３１をこのように開口として形成すれば、積層フィルム又はレトルトパウチを成形する際に識別部を設ける工程が不要である。よって既存設備を大きく変更することなく実施できるので、設備投資費用を大幅に削減することができる。
【００４３】
また図３（Ｂ）は、前記レトルトパウチに関連し、更にスパウト３２を備えたレトルトパウチ３３について、識別部３１を形成した例を示している。本実施の形態において、識別部は、レトルトパウチの接着部分を円形に刳り抜いた識別部３４、当該接着部分を三角形に刳り抜いた識別部３５、及び当該接着部分を楔状に切り込みを入れた識別部３５として具体化している。かかるスパウト付のレトルトパウチには、液状、ゼリー状の食品や物品を入れたり、お粥等の食品を入れて使用することができる。この時、当該識別部は、当該スパウト付レトルトパウチ３３に充填したお粥の味を識別するための標識として使用することができる。
【００４４】
図４は、さらに別の実施の形態にかかる容器セットの例を示している。この実施の形態では、各容器の中にチョコレートを収容したチョコレートセットの例を示している。各容器に形成される識別部は、中に収容されるチョコレートの種類によって異なる形状に形成している。具体的には、円柱形状に突起する第４識別部４２を形成した容器にはミルクチョコレートを収容し、立方体形状に突起する第５識別部４３を形成した容器にはラムレーズンチョコレートを収容し、三角柱形状に突起する第６識別部４４を形成した容器にはウイスキーボンボンを収容している。よって、この第４〜６の識別部は、中に収容する商品を識別する為の形状として形成されている。かかる識別部の形成に際しては、中に収容する商品の形状を各識別部の形状に形成することによって実現することができる。また、中に収容する商品の性質、例えばアルコールを含むか否かを簡易に判別するための構造としても使用することができる。
【００４５】
さらに、この図４に示した実施の形態では、容器セットを構成する各容器の輪郭形状自体を、中に収容する商品ごとに異ならせている。よって収容する物品が定形性を有しない場合には、容器全体の輪郭形状を異ならせ、この異なる輪郭形状を識別部とすることができる。この場合、容器全体の形状が、収容する商品の関連性や共通性に応じて異なることになる。但し、容器全体の形状を識別部として用いる場合でも、内容物も同形に成型すればより形状が判別しやすくなり、一層の効果が期待できる。
【００４６】
チョコレートの詰め合わせのような商品は、一般的に旅行の土産やお歳暮等で贈られることが多いが、視覚障害者等の利用を想定したものは少ない。単品でならともかく、複数の類似商品が詰め合わされたこのような商品では、視覚障害者等が適切に内容物等の情報を把握することは難しい。
【００４７】
更に、チョコレートの詰め合わせの中に、酒入りのチョコレートが含まれる場合には、個人の体質その他の理由から内容物の判別が特に重要になる場合がある。なぜならば、仮に商品を誤用すれば重大な結果を招くおそれがある為である。このような場合であっても本発明にかかる容器セットを利用すれば、食しても問題ない（又は使って良い）商品群と、食する事が望ましくない（使って悪い）商品群という区別を、多くの類似商品がある中においても簡潔かつ明瞭に示すことができる。よって、商品の数が増えても視覚障害者等が誤用する危険を低減させることができる。
【００４８】
本実施の形態では、前記第５識別部及び第６識別部を備える容器には酒類が含まれる商品が収容されているということを示しており、酒類を摂取できない視覚障害者等が包装に触れることで第４識別部を具備する容器に収容されたチョコレートのみを適切に選別し食することができる。
【００４９】
以上のように、視覚障害者が多様な商品群の中から、自由に商品を選ぶ手段を提供することで、視覚障害者の生活の質を向上させることができる。
【符号の説明】
【００５０】
１１    朝食用食品
１２    第１の識別部
１３    昼食用食品
１４    第２の識別部
１５    夕食用食品
１６    第３の識別部
２１    レトルトパウチ
２２    識別部（第１の識別部）
２３    内容物
３１    くり抜く方法で作成した識別部
４１    箱
４２    第４の識別部を具備する容器
４３    第５の識別部を具備する容器
４４    第６の識別部を具備する容器
【図１】
2014181065.tif 000003
【図２】
2014181065.tif 000004
【図３】
2014181065.tif 000005
【図４】
2014181065.tif 000006